(57)【要約】物質を注射器バレルから放出するために、該注射器バレルを介して口栓を駆動するために該注射器バレル内で使用するためのプランジャーロッドであって、当該プランジャーロッドは、口栓の凹部内で受け取られるように構成され、前記凹部の側壁のねじの軌道部上の箇所とかみ合うように構成されたねじかみ合い表面を含む少なくとも１つの横方向に伸びる突起を備えた口栓固定部を含んで成り、前記突起が、ユーザーによって加えられた力の下で、前記プランジャーロッドと口栓の間の相対回転時にねじと交差するように更に構成され、その結果、突起のねじのかみ合い表面が、口栓に対する注射器プランジャーの全回転毎に前記軌道部の箇所とかみ合う。【選択図】図１ｂ
2019528833.tif 000002
【特許請求の範囲】
【請求項１】
物質を注射器バレルから放出するために、該注射器バレルを介して口栓を駆動するために該注射器バレル内で使用するためのプランジャーロッドであって、
口栓の凹部内で受け取られるように構成された口栓固定部であって、該口栓固定部の対向する側面上で縦方向に伸びる第１及び第２突起を含み、該第１及び第２突起はそれぞれ横方向の軸から後方に角度が付けられたねじかみ合い表面を含んで、該第１及び第２突起の少なくとも１つの、ねじを介した直線状の運動を可能にし、前記凹部の側壁のねじの軌道部の箇所とかみ合うように構成された口栓固定部を含み、
おのおのの突起は、ユーザーによって加えられた力の下で、前記プランジャーロッドとの前記口栓の間の相対回転時にねじと交差するように更に構成され、その結果、各突起のねじのかみ合い表面が、口栓に対する注射器プランジャーの全回転毎の前記軌道部の箇所とかみ合う、ことを特徴とするプランジャーロッド。
【請求項２】
前記少なくとも１つの突起はねじと交差する前にねじの軌道部に作用するように構成される、請求項１に記載のプランジャーロッド。
【請求項３】
前記複数の突起のおのおののねじかみ合い表面が、前記プランジャーロッドの回転の対応する角度で前記ねじの軌道部の箇所とかみ合うように、前記突起が前記口栓固定部の周囲に関して角度をなして離間される、請求項１または２に記載のプランジャーロッド。
【請求項４】
前記突起は等しく角度をなして離間される、請求項３に記載のプランジャーロッド。
【請求項５】
前記第１突起のねじかみ合い表面が、前記軌道部の箇所とかみ合うとき、第２突起のねじかみ合い表面が前記軌道部と対向する更なる軌道部の箇所とかみ合うように、第１及び第２突起が構成される、請求項１乃至４に記載のプランジャーロッド。
【請求項６】
前記突起の各々がプランジャーロッドの同じ縦方向の位置にある、請求項３乃至５のいずれか１項に記載のプランジャーロッド。
【請求項７】
口栓固定部が受け入れられたときに凹部を囲む口栓の表面と当接するように構成された肩部を更に含み、前記肩部は、凹部の中へのプランジャーロッドの縦方向の運動に更に抵抗するように構成される、請求項１乃至６に記載のプランジャーロッド。
【請求項８】
肩部が凹部を囲む口栓の表面に当接するときに、口栓固定部が凹部の底面に接しないように、肩部から口栓固定部の延長が存在する、請求項７に記載のプランジャーロッド。
【請求項９】
前記第１及び第２突起は、第１及び第２突起と肩の間の口栓の一部を圧縮するためにねじに作用するように構成される、請求項２に直接あるいは間接的に従属する場合の請求項７または８に記載のプランジャーロッド。
【請求項１０】
プランジャーロッドのキー部は、プランジャーロッドの回転を防ぐ注射器の対応するキー穴とかみ合うように構成された非円形の断面部を有し、前記プランジャーロッドの断面部がキー穴と一列に並ぶとき、ねじかみ合い表面がねじの軌道部の箇所とかみ合うように、前記少なくとも１つの突起が位置づけられる、請求項１乃至９に記載のプランジャーロッド。
【請求項１１】
前記プランジャーロッドの断面部がキー穴と一列に並ぶとき、第１及び第２突起がねじの軌道部に作用するように、第１及び第２突起が位置づけられる、請求項２に直接あるいは間接的に従属する場合の請求項１０に記載のプランジャーロッド。
【請求項１２】
請求項１乃至１１のいずれか１項に記載のプランジャーロッドと、
凹部と該凹部の側壁の雌ねじを含む口栓とを含み、
前記プランジャーロッドの口栓固定部が口栓の凹部内に受け入れられる、
ことを特徴とするプランジャー。
【請求項１３】
請求項１２に記載のプランジャーを含んでなる、
ことを特徴とする注射器。
【請求項１４】
バレル内のプランジャーの移動によって物質をバレルから放出するように、プランジャーロッドが注射器のバレルの口内に受け入れられ、
前記バレルの口は、プランジャーロッドのキー部の非円形の断面部に対応し、バレルに対するプランジャーロッドの回転を防ぐためにキー部とかみ合うように構成されたキー穴を含み、
プランジャーロッドのキー部がキー穴を通り抜けた後、プランジャーロッドはバレルと口栓に対して回転可能である、
請求項１０または１１のプランジャーロッドを含む場合の請求項１３に記載の注射器。
【請求項１５】
前記口栓は弾力的に変形可能であり、プランジャーロッドのキー部がバレルの口のキー穴を通過すると、バレルの一端に対して口栓を圧縮するように構成され、その結果、プランジャーの回転中に、エネルギーが口栓に蓄積され、バレルからプランジャーロッドに力を外方に付勢させる、請求項１４に記載の注射器。
【請求項１６】
前記プランジャーロッドの第１及び第２突起の各々のねじかみ合い表面は、プランジャーロッドのキー部がキー穴と一列に並んだときに、口栓の側壁のねじの軌道部の箇所とかみ合うように構成され、その結果、キー穴からプランジャーロッドを付勢するように口栓が拡大しない、請求項１５に記載の注射器。
【請求項１７】
前記第１及び第２突起はプランジャーロッドのキー部がキー穴と一列に並ぶときに、第１及び第２突起とプランジャーロッドの肩部の間の口栓の一部を圧縮するように、口栓の側壁のねじの軌道部に作用するように構成される、請求項９のプランジャーロッドを含む場合の請求項１５または１６に記載の注射器。
【発明の詳細な説明】
【技術分野】
【０００１】
本発明は注射器と共に使用するためのプランジャーロッドに関する。いくつかの装置において、本発明は、注射器と共に使用するためのプランジャー、および／またはプランジャーおよび／またはプランジャーロッドを含む注射器に関しうる。本発明は、限定される必要はないが、安全注射器に関する。
【背景技術】
【０００２】
典型的には、プランジャーロッドは、十分な薬剤送達を保証するために注射器のバレル端部を圧縮して弾力的に変形可能な口栓を配置している。いくつかの注射器設計では、これは、プランジャーロッドを外方に押すために口栓によってプランジャーロッドに及ぼされた力に関係のある問題に結びつく場合がある。
【発明の概要】
【発明が解決しようとする課題】
【０００３】
本発明者らは、プランジャーロッドを外方に付勢する口栓によって引き起こされる問題を緩和するために、圧縮下で留まること、および／または圧縮される時に口栓に蓄積されたエネルギーが、注射器のバレルからプランジャーロッドを外方に付勢することが許されないこと、が望まれることを認識した。
【課題を解決するための手段】
【０００４】
本発明の一態様によれば、注射器バレルを介して物質を注射器バレルから放出するように、口栓を駆動するために注射器バレルで使用するためのプランジャーロッドが提供され、
当該プランジャーロッドは、
口栓の凹部内に受け取られるように構成され、ねじのかみ合い表面を含む、少なくとも１つの横に伸びる突起を含む口栓固定部であって、前記ねじのかみ合い表面は凹部の側壁のねじの軌道部の先端部でかみ合うように構成されてなる口栓固定部を含み、
突起のねじのかみ合い表面が、口栓に対する注射器プランジャーの一回転毎に、軌道部の先端部とかみ合うように、前記突起はユーザーによって加えられる力の下でプランジャーロッドと口栓の間の相対回転時にねじと交差するように更に構成される。
【０００５】
随意に、少なくとも１つの突起はねじと交差する前にねじの軌道部に作用するように構成される。
【０００６】
ねじの軌道部とのかみ合いは、軌道部に接している１つ以上の突起を含む。かみ合いは、プランジャーロッドに適用されたトルクの、ねじに作用する直線状の力への変換の必要がないという点で中立であり得る。１つ以上の突起がねじとかみ合う場合、それらはプランジャーロッドから口栓に直線状の力を適用し得る。軌道部で作用することは、ねじとかみ合わされる突起を含み、さらにねじに適用されたトルクを口栓に作用する直線状の力に変換する１つ以上の突起を含む。口栓が圧縮下にある場合、突起は、口栓内に蓄積されたエネルギーの配分を変更するために、および／または放出するために、ねじに作用することができる。その結果、プランジャーロッドは外方に付勢されない。突起がねじと交差した後、口栓の圧縮は配分の標準状態に戻り得、圧縮された口栓に蓄積されたエネルギーはプランジャーロッドを外方に付勢する。
したがって、ねじとのかみ合い、および／または、ねじへの作用によるプランジャーロッドの回転時に特定箇所でプランジャーロッドが外方に付勢されるのを防ぐように、突起が構成される
【０００７】
随意に、プランジャーロッドは、複数の突起のおのおののかみ合い表面は、プランジャーロッドの回転の対応する角度でねじの起動部の箇所とかみ合うように、口栓固定部の周囲で角をなして離間された複数の突起をさらに含む。
【０００８】
随意に、複数の突起が等角度で離間される。
【０００９】
随意に、第１および第２突起は口栓固定部の反対側にある。
【００１０】
随意に、第１突起ねじのかみ合い表面が軌道部の箇所とかみ合ったとき、第２突起のねじのかみ合い表面が前記軌道部の反対の更なる軌道部の箇所とかみ合うように、第１および第２突起が構成される。
【００１１】
随意に、突起の各々はプランジャーロッド上の同じ縦方向の位置にある。
【００１２】
随意に、少なくとも１つの突起のねじのかみ合い表面は、ねじを介して少なくとも１つの突起の直線状の運動を可能にするために角度がつけられる。
【００１３】
随意に、プランジャーロッドは肩部を含み、前記肩部は、口栓固定部が前記肩部に受け取られるときに凹部を囲む口栓の表面と当接するように構成され、前記肩部はプランジャーロッドの凹部の中への縦方向の運動に、更に抵抗するように構成される。
【００１４】
随意に、肩部が凹部を囲む口栓の表面に当接するとき、口栓固定部が凹部の底面に接していないように、口栓固定部は肩部から伸びている。
【００１５】
随意に、少なくとも１つの突起は少なくとも１つの突起と肩部の間の口栓の一部を圧縮するようにねじに作用するように構成される。
【００１６】
随意に、プランジャーロッドのキー部は非円形の断面部を有し、前記非円形の断面部は、プランジャーロッドの回転を防ぐために注射器の対応するキー穴とかみ合うように構成され、プランジャーロッドの断面部がキー穴と一列に並んだとき、ねじのかみ合い表面がねじの軌道部の箇所とかみ合うように、少なくとも１つの突起が位置づけられる。
【００１７】
随意に、プランジャーロッドの突起がキー穴と一列に並んだとき、前記断面部がねじの軌道部に作用するように、突起が位置づけられる。
【００１８】
本発明の一態様によれば、プランジャーが提供され、
該プランジャーは、
本明細書に記載されたとおりのプランジャーロッド、および
凹部と、該凹部の側壁上の雌ねじを含む口栓
を含み、
前記プランジャーロッドの口栓固定部は口栓の凹部内で受け取られる。
【００１９】
本発明の一態様によれば、注射器が提供され、
該注射器は、
本明細書に記載されたとおりのプランジャー／プランジャーロッドを含む。
【００２０】
随意に、バレル内のプランジャーの移動が物質をバレルから放出するように、プランジャーロッドは注射器のバレルの口内に受け取られ得、バレルの口は、プランジャーロッドのキー部の非円形の断面部に対応し、バレルに対するプランジャーロッドの回転を防ぐために、バレルとかみ合うように構成されたキー穴を含み、
プランジャーロッドのキー部がキー穴を通り抜けた後、プランジャーロッドはバレルと口栓に対して回転可能である。
【００２１】
随意に、口栓は弾力的に変形可能であり、プランジャーロッドのキー部がバレルの口のキー穴を通り抜けると口栓をバレルの端部に押圧するように、プランジャーロッドが構成され、その結果、プランジャーの回転中に、エネルギーが口栓に蓄積され、バレルから外方の力をプランジャーロッドに付勢する。
【００２２】
随意に、プランジャーロッドの少なくとも１つの突起のねじのかみ合い表面は、プランジャーロッドのキー部がキー穴と一列に並んだときに、口栓の側壁のねじの軌道部の箇所とかみ合うように構成され、その結果、口栓はキー穴から外方にプランジャーロッドを付勢するように拡がらない。
【００２３】
随意に、少なくとも１つの突起は、プランジャーロッドのキー部がキー穴と一列に並んだときに、少なくとも１つの突起とプランジャーロッドの肩部の間の口栓の一部を押圧するように口栓の側壁のねじの軌道部に作用するように構成される。
【００２４】
発明の典型的な実施形態は、添付図面を参照して本明細書に記載される。
【図面の簡単な説明】
【００２５】
【図１】図１はプランジャーロッドの正面図である。
【図２】図２は、プランジャーロッドと口栓を含むプランジャーの等角図である。
【図３】図３はプランジャーを示す、注射器のニードル端部で切断した縦断面図である。
【図５】図４は注射器を切断した横断面図である。
【図５ａ】図５ａは注射器のハンドル部分の等角図である。
【図５ｂ】図５ｂは注射器のハンドル部分の平面図である。
【図６ａ】図６ａは、動作の種々の段階でのプランジャーを示し、注射器のニードル端部で切断した縦断面図を示す。
【図６ｂ】図６ｂは、動作の種々の段階でのプランジャーを示し、注射器のニードル端部で切断した縦断面図を示す。
【図６ｃ】図６ｃは、動作の種々の段階でのプランジャーを示し、注射器のニードル端部で切断した縦断面を示す。
【図６ａａ】図６ａａは、図６ａに対応する注射器のニードル端部で切断した横断面図を示す。
【図６ｂｂ】図６ｂｂは、図６ｂに対応する注射器のニードル端部で切断した横断面図を示す。
【図６ｃｃ】図６ｃｃは、図６ｃに対応する注射器のニードル端部で切断した横断面図を示す。
【発明を実施するための形態】
【００２６】
一般に、注射器で使用される典型的なプランジャーロッドが本明細書に開示されており、前記プランジャーロッドは、注射器のバレルの端部に押圧して口栓を保持するように、および／またはプランジャーロッドが外方に付勢されるのを防ぐために口栓内に蓄積されたエネルギーを再分配するように構成される。典型的な方法および装置では、プランジャーロッドは、注射器中のキー穴を通り抜けて、ついでプランジャーロッドが通り抜けた後、回転するように構成され得る。そのような装置では、プランジャーロッドの回転は、回転中に１以上の箇所でプランジャーロッドがキー穴と一列に並ぶことをもたらし得る。そして、プランジャーロッドは、これら一列に並んだ箇所でキー穴を通して、口栓がプランジャーロッドを戻すのを防ぐように構成される。口栓に蓄積されたエネルギーの再配分は、口栓の１つ以上の部分の圧縮の量の変化を含み得る。
【００２７】
プランジャーのストロークに適用される場合の「内方に」という用語は、注射器のバレル内で、かつ注射器のバレルの端部、典型的には針が取り付けられた端部の開口へと向かうプランジャーの縦方向の移動を含む。すなわち、バレルら物質を排出する方向である。ストロークに適用される場合の「外方に」という用語は、バレルからプランジャーの移動という反対の意味を有する。
【００２８】
典型的なプランジャーロッドは、口栓のねじの軌道部上の箇所でかみ合うように構成された少なくとも１つの突起を含む。少なくとも１つの突起はプランジャーロッドの回転中の口栓のねじと交差するように構成され得る。すなわち、突起はねじの隣接した軌道部に交差し得る。
突起および／または口栓は、ねじと交差するために突起に所定のトルクが要求されるように構成される。所定トルクは、ねじと交差する前に、ねじに突起がしばらく作用するような状態であり得る。突起がねじに作用する箇所は、以下に詳細に説明されるように、プランジャーロッドがキー穴と一列に並ぶ箇所と一致するように構成されるかもしれない。このように、口栓に作用する突起によって生成された力を使用するかもしれないが、プランジャーロッドは口栓にねじ込むことはない。典型的な注射器プランジャーにおいて、口栓のねじの軌道部上の箇所との少なくとも１つの突起のかみ合いは、圧縮された状態で口栓を保持し、および／またはプランジャーロッドを外方に駆動するような口栓の膨張を防ぐ。
【００２９】
図１ａおよび１ｂは、第１端部１０２およびプランジャー軸１０４を含む典型的なプランジャーロッド１００を示す。図１ｂは、プランジャーロッド１００の第１端部１０２の拡大図を示す。
第１端部１０２は複数の横に伸びる突起１０６ａ−１０６ｂを含む。
【００３０】
本明細書に使用されるとおりの、用語「横方向」は、プランジャーロッドの縦軸と交わる方向を含む。一般に、横、縦、上部、より低いなどの相対的な用語は、記載を助けるために本明細書に使用されるものであり、発明の範囲を制限する必要はない。
【００３１】
以下に述べるとおり、プランジャーロッド１００の口栓固定部と称する第１端部１０２は、プランジャーを形成する口栓の凹部によって受け取られるように構成される。プランジャーロッド１００と口栓の組合わせは本明細書の全体にわたってプランジャーと呼ばれる。
【００３２】
口栓固定部１０２は、略丸形断面部を有し、口栓固定部１０２の端部に向かうプランジャーロッド１００の肩部１０８から離れる方向に先細っている。プランジャーロッド１００の口栓固定部１０２は、プランジャーロッド１００から横方向に伸びる複数の突起１０６ａ−１０６ｂを含む。図１ａおよび１ｂの典型的なプランジャーロッド１００において、突起１０６ａ−１０６ｂは、口栓固定部１０２の末端に位置づけられるが、突起１０６ａ−１０６ｂは第１端部１０２に沿った他の箇所に代替的に位置付けられ得る。図１ａおよび１ｂの典型的な注射器のプランジャー１００は２つの対向する突起１０６ａ、１０６ｂを含む。すなわち突起１０６ａ、１０６ｂは、口栓固定部１０２から反対方向に伸びる。口栓固定部１０２は略円環状断面部を有しているので、突起１０６ａ、１０６ｂは正反対であると考えられうる。しかしながら、他の典型的な注射器のプランジャーが様々な角度で離間した他の数の突起を含み得ることが理解されるべきである。
【００３３】
突起１０６ａ−１０６ｂの各々は、プランジャーロッド１００の縦軸上の同じ箇所から横方向に伸びる。そのため、典型的なプランジャーロッド１００において、肩部１０８と複数の突起１０６ａ，１０６ｂのおのおのと間の距離は、本質的に同一であり得る。他の装置において、突起は、プランジャーロッド１００の縦軸上の異なる位置から伸び得る。
【００３４】
突起１０６ａ、１０６ｂは、ねじのかみ合い表面１１０ａ、１１０ｂを含み得る。ねじのかみ合い表面１１０ａ、１１０ｂは、口栓のねじと接触するように構成され、かつプランジャーロッド１００の縦軸に垂直な平面から後方に角度が付けられている。ねじのかみ合い表面１１０ａ、１１０ｂは、プランジャーロッド１００の縦軸から垂直に伸びる横方向の軸に対して３０度から４０度までの範囲の角度にある。特定の装置において、ねじのかみ合い表面１１０ａ、１１０ｂは、横方向の軸に対して３６度の角度にある。角度が付けられたねじのかみ合い表面１１０ａ、１１０ｂは、プランジャーロッド１００の口栓固定部がねじを乗り越えることにより直線状に口栓に駆動されることを可能にするように構成される。
【００３５】
突起１０６ａ、１０６ｂの横方向の外方限界間の距離は、３ｍｍから４ｍｍまでの範囲にあり得、特定の装置では３．８ｍｍであり得る。各突起１０６ａ、１０６ｂの横方向の延長は、０．５ｍｍから１ｍｍまでの範囲にあり得、特定の実施例において、０．６ｍｍであり得る。突起は０．５ｍｍから１ｍｍまでの範囲の幅を持ち得る。突起１０６ａ、１０６ｂはプランジャーロッド１００に対して直角に伸び得、特定の典型的な装置においてねじのかみ合い表面は口栓のねじの角度と一列に並ばない。突起１０６ａ、１０６ｂは硬質プラスチック材料から製造され得る。
【００３６】
肩部１０８は曲げられ、以下に述べるように、口栓の表面に当接するように構成される。肩部１０８から突起１０６ａ、１０６ｂの上部表面までの距離は、２ｍｍから３ｍｍまでの範囲にあり得、特定の装置において２．５ｍｍであり得る。
【００３７】
プランジャーロッド１００と協働するように構成された口栓のねじが刻設された凹部の内径は２ｍｍから３ｍｍまでの範囲にあり得、特定の装置において２．６ｍｍであり得る。
【００３８】
上に示された寸法が１ｍｌの注射器に関するものであることは注目され、それらは他の容量の注射器についての使用のために縮小・拡大され得る。プランジャー軸１０４はその長さのいくらか、あるいはすべてに亘って非円形の断面部を持っている。非円形の断面部があるプランジャー軸１０６の部分は、プランジャーロッド１００のキー部と称する。キー部の断面形状は、以下に述べるように、プランジャーロッド１００の回転を防ぐために注射器中、相応して形作られた隙間（キー穴）とかみ合うように構成される。典型的な装置では、キー部の断面形状は向かい合った平坦なエッジ部と、向かい合った外方に曲がったエッジ部を含み、わずかに圧縮した矩形の印象を与え、その辺は外方に膨れている。突起１０６ａおよび１０６ｂはキー部の断面形状と一致し、その結果、ねじのかみ合い表面１１０ａ、１１０ｂは、プランジャー軸１０４の断面形状が注射器の隙間と一列に並んだとき、プランジャーロッド１００の回転中にいくつかの箇所で口栓のねじとかみ合うか、および／または口栓のねじに作用する。これは以下により詳細に述べる。典型的な装置では、プランジャーロッド１００は、図１ａおよび１ｂにおいて目に見えない雌ねじを含み得る。これは以下により詳細に述べる。
【００３９】
図２は、プランジャーロッド１００および口栓１１２を含むプランジャー２００の等角図を示す。口栓固定部１０２（図２には図示されず）は、口栓１１２中の凹部内で受け入れられる。
【００４０】
図３は典型的な注射器のニードル端部で切断した断面図を示し、プランジャーロッド１００の口栓固定部１０２が口栓１１２の凹部１１４内でどのように適合するかを示している。突起１０６ａ、１０６ｂは、口栓１１２の凹部１１４の内周面でねじとかみ合う。プランジャーロッド１００の口栓固定部１０２は、口栓１１２内でそれによって保持される。
【００４１】
口栓１１２の凹部１１４は、凹部１１４の一側面で隣接する複数の軌道部１１６ａ−１１６ｃを含むねじを備える。螺旋状の経路をとっている単一の軌道だけが存在すると認識されるが、軌道１１６ａ−１１６ｃの部分は隣接していると考えられる。
【００４２】
肩部１０８は、口栓１１２の上部表面と当接する。口栓１１２の上部表面は凹部１１４を取り囲む表面である。そのため、プランジャーロッド１００の口栓１１２の凹部１１４への更なる縦方向の移動は抵抗される。口栓１１２は、ゴム引きされた材料のような弾力的に変形可能材料から作られ得る。そのため肩部１０８は、口栓が十分に圧縮されるとき、更に、凹部１０７内のプランジャーロッド１００の第１端部１０２の縦方向の移動が可能なので、縦方向への移動を防ぐより寧ろ縦方向の移動に抵抗する。
【００４３】
プランジャーロッド１００が口栓１１２と結合されるとき、突起１０６ａ、１０６ｂは、口栓１１２の軌道１１６ａ−１１６ｃの対向部と接触し得る、或いは他の突起１０６ａ、１０６ｂが軌道部同士の間の箇所にある間、突起１０６ａ、１０６ｂは、軌道部と接触する。
【００４４】
図４は、プランジャー２００を含む典型的な注射器４００の断面図を示し、図１〜３に示される特徴を含み得る。
【００４５】
典型的な注射器４００は、プランジャー２００が受け入れられるバレル４０２をさらに含む。
プランジャー２００が受け入れられるバレル４０２の口は、プランジャー軸１０４のキー部の断面部に対応するキー穴を含んでいる。そのため、プランジャーロッド１００は、キー穴におけるキー部のかみ合いによって回転することが妨げられる。図４の典型的な装置では、バレル４０２の口でのキー穴は、注射器のハンドル４０４内に設けられる。ハンドル４０４は、図５ａおよび５ｂに、より詳細に示され、下に議論されるが、バレル４０２に固着され、かつ使用の間に注射器のユーザーの人差し指および中指を受け取るように一般に構成される。
【００４６】
プランジャーロッド１００のキー部がキー穴を通り抜けた後、プランジャーロッド１００が、バレル４０２および口栓１１２に対して自由に回転することができるように注射器４００が形成される。特定の典型的な装置では、プランジャーロッド１００は完全にキー穴を通り抜けるように構成される。キー部がキー穴を通り抜ける前に、口栓１１２が肩部１０８によって圧縮されるように、プランジャーロッド１００の長さが構成される。
【００４７】
図４に示される典型的な注射器４００は、さらに安全プランジャー４０６およびシース４０８を含む。プランジャー２００と安全性プランジャー４０６を区別するために、プランジャー２００は図４の記載のために注射器プランジャーと称する。注射器プランジャー２００は注射器４００のバレル４０２内に位置づけられ、バレル内で移動するように構成される。注射器プランジャー２００は内部ストロークで移動し得、該内部ストローク中に注射器プランジャー２００は、物質を放出すためにバレル４０２内へとさらに移動するか、あるいは外部ストロークで移動し、該外部ストローク中に注射器プランジャー２００はバレル４０２から引かれる。皮下注射針４１０はバレル４０２の端部４１１に適合され、物質がバレルから放出されることを可能にするように構成される。
【００４８】
安全プランジャー４０６はシース４０８および注射器プランジャー２００に結合される。したがって、下に説明されるように、安全プランジャー４０６の移動はシース４０８と安全プランジャー２００の移動を引き起こす。図４の典型的な装置では、安全プランジャー４０６、シース４０８および注射器プランジャー２００の間の結合は、それらがともに移動するという点において、各々の縦方向の同一の移動量をもたらす。
【００４９】
注射器プランジャー２００への安全プランジャー４０６の結合は、注射器プランジャー２００の対応するねじが刻設された開口４１４内に受け入れられるねじが刻設された挿入物によって提供される。ねじが刻設された挿入物４１２によって、注射器プランジャー２００のキー部のキー穴とのかみ合いによって、開口４１４のねじに作用すること、及び注射器プランジャー２００を回転させることが妨げられる。安全プランジャー４０６が、その内部ストローク上の点で注射器プランジャー２００から分断するように、注射器４００が構成される。縦方向の分断は、キー穴を通り抜ける注射器プランジャー２００のキー部によって提供され、その後、ねじが刻設された挿入物４１２は、バレル４０２および口栓１１２に対してプランジャーロッド１００を回転させるために、開口４１４のねじに作用する。したがって分断は、安全プランジャー４０６および注射器プランジャー２００の独立した縦方向の移動を可能にする。本明細書において使用される「分断された」という用語は、相対運動が構成部品間で許されるあらゆる状況を含み得る。特定の構成部分において、相対運動は相対的な縦方向の移動であり得る。これは本明細書に開示されたすべての装置に当てはまる。すなわち、プランジャーロッドは、注射器プランジャーから分断されるために、安全プランジャーから分離される（ｄｅｔａｃｈｅｄ）或いは切り離される（ｓｅｐａｒａｔｅｄ）必要はない。
【００５０】
プランジャーロッド１００の回転は、口栓１１２と突起１０６ａ、１０６ｂの凹部１１４の口栓固定部１０２を回転させる。したがって、本明細書に記載されるように、口栓１１２の雌ねじのねじ部１１６ｂとかみ合う。
【００５１】
分断後の安全プランジャー４０６の継続的な移動は、シース４０８のニードル４１０を超える移動を可能にする。
【００５２】
図５ａは、注射器を通過するプランジャーロッド１００を備えた注射器４００のハンドル４０４の等角図を示す。図５ｂは、ハンドル４０４の平面図を示す。図５ｂで示されるように、キー穴５００は対向するストレートエッジ５０２ａ、５０２ｂと、対向する外側に曲がったエッジ５０４ａ、５０４ｂを有する。図５ａで見られるように、プランジャーロッド１００はキー部上に対応する断面部を持っている。対向するストレートエッジ５０２ａ、５０２ｂは、キー部がキー穴５００とかみ合うときに、プランジャーロッド１００の回転を防ぐ。図５ａで見られるように、プランジャーロッドのキー部は、ヘッド側の端部５０６までずっと伸びる。したがって、プランジャーロッド１００は完全にキー穴５００を通り抜けることができる。
【００５３】
図６ａ−６ｃは、安全プランジャー４０６からの縦方向分断後、プランジャーロッド１００の多数の回転角度で注射器４００を切断する部分を示している。
【００５４】
図６ａおよび図６ａａは、プランジャー２００の内部の全ストロークであって、かつ口栓１１２に対してプランジャーロッド１００の回転前のプランジャーロッド１００の位置を示す。プランジャーロッド１００がキー穴５００を通り抜けると、プランジャーロッド１００のキー部は、もはやキー穴５００とかみ合わない。したがって、プランジャーロッド１００は、口栓１１２に対して自由に回転することができる。
【００５５】
口栓１１２が、凹部１１４を囲む口栓１１２の表面と当接するプランジャーロッド１００の肩部１０８と注射器バレル４０２の端部４１１との間で圧縮した状態で置かれると、プランジャーロッド１００と安全プランジャー４０６は縦方向に分断される。この箇所で、プランジャーロッド１００のキー部は、キー穴５００と、典型的には注射器４００と一列に並び、ユーザーによって安全プランジャー４０６に加えられた更なる力は、ねじが刻設された挿入物４１２に対して開口４１４のねじを作用させ、注射器４００のバレル４０２内のプランジャーロッド１００を回転させる。
【００５６】
図６ａおよび図６ａａで見られるように、突起１０６ｂのねじかみ合い表面１１０ｂは、口栓１１２の雌ねじの軌道部１１６ｂとかみ合う。対向する突起１０６ａは、口栓１１２の雌ねじと交差しており、軌道部とかみ合わない。他の装置では、対向する突起１０６ａはねじの対向する軌道部とかみ合い得る。上述したように、プランジャーロッド１００と安全プランジャー４０６が分断する前に、口栓１１２は圧縮下に置かれる。口栓１１２は、プランジャーロッド１００のキー部とキー穴との不揃いによってプランジャーロッド１００の回転中にほとんどの箇所において圧縮下で保持される。すなわち、プランジャーロッド１００を「外方に」押すため圧縮した口栓１１２によりプランジャーロッド１００の肩部１０８に加えられた力は、ハンドル４０４によって抵抗されるが、これはキー部とキー穴５００の不揃いによる。
【００５７】
しかしながらプランジャーロッド１００の一回で３６０度の回転中、１箇所以上で、プランジャーロッド１００のキー部は、キー穴５００と一列に並ぶものと認識される。例えば、典型的なプランジャーロッド１００の一回の回転中に、一列に並ぶことがプランジャーロッド１００の回転で２箇所で生じる：１８０度および0度／３６０度の回転で。そのため、口栓１１２は、プランジャーロッド１００の回転ですべての箇所における不揃いのために圧縮状態で保持することができない。圧縮状態で口栓１１２を保持する更なる手段なしには、口栓１１２によってプランジャーロッド１００の肩部１０８に加えられた力は、キー穴５００によってプランジャー１００を押し返すであろう。プランジャーロッド１００のそのような外方への移動は０．２５ｍｍから０．７５ｍｍまでの範囲にあり得る。
【００５８】
突起１０４ａ、１０４ｂの少なくとも１つが圧縮状態で口栓１１２を保持するように、および／またはプランジャーロッド１００の、キー部がキー穴と一列に並ぶ回転角度で口栓に蓄積されたエネルギーを再配分するためにねじに作用するよう、構成されるように、プランジャーロッド１００の突起１０６ａ−１０６ｂが位置づけられる。
【００５９】
突起の数および一列に並ぶことと、プランジャーロッド１００の口栓固定部１０２の周りの突起の配置は、キー部の断面部と、一回の３６０度の回転中に、何度キー部がキー穴５００と一列に並ぶのかに、依存することが認識される。そのため、この実施例の目的で使用される突起の配置および数は、説明の目的だけのためのものであり、限定されない。
【００６０】
図６ｂおよび図６ｂｂは、分断後の、９０度の回転の口栓１１２とのプランジャーロッド１００のかみ合いを示している。この位置では、キー部とキー穴５００は不揃いであり、そのため、圧縮状態で口栓を保持するためには、突起１０６ａが口栓１１２のねじとかみ合う必要はない。
【００６１】
突起１０６ａ、１０６ｂは、プランジャーロッド１００の開口４１４のねじに作用するねじが刻設された挿入物４１２を介してユーザーの親指により適用されたトルク下で突起１０６ａ、１０６ｂが口栓１１２の雌ねじと交差するように構成される。トルクは、ユーザーによって適用される約１２Ｎの直線状の力によって生成される。口栓１１２のねじの軌道部が製造される材料は、突起がねじと交差するのに必要なトルクに寄与する。したがって、ねじと突起は、ともに突起がユーザーによって適用されるトルク下でねじと交差することを保証するために構成される。本明細書に示された典型的な構成において、プランジャーロッド１００の肩部１０８は、口栓１１２の凹部１１４における口栓固定部１１２の更なる運動に抵抗する。これは、ねじの軌道部内での口栓固定部の継続的な移動を防ぎ、そのため、突起１０６ａ、１０６ｂは、ユーザーによって適用されるトルク下でねじと交差する。
【００６２】
図６ｂおよび図６ｂｂにおいて、突起１０６ａ−１０６ｂは、口栓のねじと交差している。キー部は、キー穴５００と不揃いであり、そのため口栓はハンドル４０４によって圧縮状態で保持される。
【００６３】
図６ｃおよび図６ｃｃで、プランジャーロッドは、図６ｂおよび図６ｂｂの中の位置から９０度乃至１８０度まで回転している。プランジャーロッド１００のキー部は、ハンドル４０４のキー穴５００と一列に並ぶ。そのため、プランジャーロッドは、圧縮した口栓１１２によって加えられた力の下でキー穴５００から外方に付勢され得る。もしこれが起こることを許されれば、安全プランジャー４０６がシースの展開中に注射器プランジャー２００から縦方向の分断後に押圧されると、この移動はユーザーによって感じられる。プランジャーロッド１００がキー穴５００と瞬間的にかみ合うと、移動は、安全プランジャー４０６の移動におけるジャダー（ｊｕｄｄｅｒ）として感じられるだろう。
【００６４】
突起１０６ａがねじの軌道部１１６ｂと交差すると、ねじかみ合い表面１１０ａはねじの軌道部とかみ合う。これは、圧縮状態で口栓を保持し、かつキー穴５００にプランジャーロッド１００を付勢する膨張に抵抗するために口栓１１２への圧縮力を提供する。代替的に、あるいは追加的に、突起１０６ｂは、ユーザーによってプランジャーロッド１００に適用されたトルク下でねじの軌道部１１６ｂに作用する。ねじに作用することは、ねじの軌道部１１６ｂに沿った突起１０６ａの移動によりプランジャーロッド１００に適用されるトルクが口栓１１２の直線運動に変換されることを意味する。この直線運動は突起１０６ａと肩部１０８の間の軌道部１１６ｂ上の口栓の部分をはさむか圧縮するように作用する。これは、軌道部１１６ｂより下の口栓１１２の大部分の蓄積エネルギーを取り除く効果がある。すなわち、軌道部１１６ｂ上の口栓１１２の部分の圧縮は、軌道部１１６ｂより下の口栓１１２の部分の膨張を許す。その結果、口栓１１２はキー穴５００に尾ウランジャーロッド１００を付勢するために拡大しない。これは口栓１１２に蓄積されたエネルギーの再配送である。
【００６５】
キー部がキー穴５００と不揃いで、突起１０６ａがねじを乗り越えて交差するように、プランジャーロッド１００のキー部がさらに回転する。したがって、本明細書に記載された典型的なプランジャーロッドは、口栓の凹部と螺合する口栓固定部なしに、かつ２つが一列に並んだときにキー穴からする口栓に蓄積されたエネルギーなしに、口栓に対するプランジャーロッドの相対運動を可能にする。認識されるように、プランジャーロッド１００がさらに１８０度だけ回転するとき、同じ原理が突起１０６ｂに適用される。
【００６６】
典型的な突起は、プランジャーロッド１００の回転中に隣接した軌道部１１６ａおよび１１６ｃにねじを交差される。
【００６７】
当業者は添付された特許請求の範囲から逸脱することなしに、他の注射器およびその特徴を想到することができるだろう。
【図１ａ】
2019528833.tif 000003
【図１ｂ】
2019528833.tif 000004
【図２】
2019528833.tif 000005
【図３】
2019528833.tif 000006
【図４】
2019528833.tif 000007
【図５（ａ）】
2019528833.tif 000008
【図５（ｂ）】
2019528833.tif 000009
【図６ａ】
2019528833.tif 000010
【図６ａａ】
2019528833.tif 000011
【図６ｂ】
2019528833.tif 000012
【図６ｂｂ】
2019528833.tif 000013
【図６ｃ】
2019528833.tif 000014
【図６ｃｃ】
2019528833.tif 000015
【国際調査報告】
2019528833.tif 000016
2019528833.tif 000017